(57)【要約】【課題】対物レンズのシャッタの開閉機構の構成の簡素化を図ると共に、容易に組立を行う。【解決手段】データの記録再生をする光ピックアップ１６と、光ピックアップ１６を光ディスク７の径方向に移動可能に支持するガイド軸２２，２３と、光ピックアップ１６を光ディスク７の径方向に移動させる移動機構１８と、対物レンズ１９を開閉するシャッタ部材４３を備える。移動機構１８は、光ディスク７を移動する送りねじ３２と、ガイド片２７，２８間においてガイド軸２３に挿通され、光ピックアップ１６に対して移動可能な移動ブロック３３と、移動ブロック３３を一方向に付勢する付勢部材３５とを有する。シャッタ部材４３は、基端側が移動ブロック３３に軸支され、中程で光ピックアップ１６に軸支され、移動ブロック３３の移動に伴って先端側で対物レンズ１９を開閉する。【選択図】  図２
2005018858.tif 000002
【特許請求の範囲】
【請求項１】
光源より出射された光ビームを対物レンズで集光して光学ディスクに照射すると共に、この光学ディスクで反射した戻りの光ビームを検出する光ピックアップと、
光学ディスクの径方向に配設されるガイド軸が上記光ピックアップに離間して形成されたガイド片のガイド孔に挿通され、上記光ピックアップを移動可能に支持するガイド機構と、
上記ガイド機構にガイドされた光ピックアップを、上記光学ディスクの径方向に移動する移動機構と、
上記移動機構に連動して上記対物レンズを開閉するシャッタ部材とを備え、
上記移動機構は、上記光学ディスクの径方向に配設され、駆動源によって回転される送りねじと、上記ガイド片間において上記ガイド軸に挿通され、上記光ピックアップに対して移動可能な移動ブロックと、上記移動ブロックに設けられ上記送りねじと接続する接続部材と、上記一方のガイド片と上記移動ブロックとの間に配設されて上記移動ブロックを一方向に付勢する付勢部材とを有し、
上記シャッタ部材は、基端側が上記移動ブロックに軸支される共に、上記中程で上記光ピックアップに軸支され、上記移動ブロックの移動に伴って先端側で上記対物レンズを開閉する光ピックアップ装置。
【請求項２】
上記移動機構は、光ピックアップを光ディスクの最内周又は最外周位置に移動させたときに、更に駆動源によって上記送りねじを回転させて、上記付勢部材の付勢力に抗して上記移動ブロックを上記ガイド軸に沿って移動させ、上記対物レンズを上記シャッタ部材の先端側で閉塞する請求項１記載の光ピックアップ装置。
【請求項３】
上記光ピックアップ又は移動ブロックの何れか一方には、上記移動ブロックのガイド突起が設けられ、他方に、このガイド突起が係合されるガイド溝が設けられている請求項１記載の光ピックアップ装置。
【請求項４】
光学ディスクが装着されこの光学ディスクを回転するディスク駆動部と、
光源より出射された光ビームを対物レンズで集光して上記ディスク駆動部に装着された光学ディスクに照射すると共に、この光学ディスクで反射した戻りの光ビームを検出する光ピックアップと、
上記ディスク駆動部に装着された光学ディスクの径方向に配設されるガイド軸が上記光ピックアップに離間して形成されたガイド片のガイド孔に挿通され、上記光ピックアップを移動可能に支持するガイド機構と、
上記ガイド機構にガイドされた光ピックアップを、上記光学ディスクの径方向に移動する移動機構と、
上記移動機構に連動して上記対物レンズを開閉するシャッタ部材とを備え、
上記移動機構は、上記光学ディスクの径方向に配設され、駆動源によって回転される送りねじと、上記ガイド片間において上記ガイド軸に挿通され、上記光ピックアップに対して移動可能な移動ブロックと、上記移動ブロックに設けられ上記送りねじと接続する接続部材と、上記一方のガイド片と上記移動ブロックとの間に配設されて上記移動ブロックを一方向に付勢する付勢部材とを有し、
上記シャッタ部材は、基端側が上記移動ブロックに軸支される共に、上記中程で上記光ピックアップに軸支され、上記移動ブロックの移動に伴って先端側で上記対物レンズを開閉する記録及び／又は再生装置。
【請求項５】
上記移動機構は、光ピックアップを光ディスクの最内周又は最外周位置に移動させたときに、更に駆動源によって上記送りねじを回転させて、上記付勢部材の付勢力に抗して上記移動ブロックを上記ガイド軸に沿って移動させ、上記対物レンズを上記シャッタ部材の先端側で閉塞する請求項４記載の記録及び／又は再生装置。
【請求項６】
上記光ピックアップ又は移動ブロックの何れか一方には、上記移動ブロックのガイド突起が設けられ、他方に、このガイド突起が係合されるガイド溝が設けられている請求項４記載の記録及び／又は再生装置。
【発明の詳細な説明】
【０００１】
【発明の属する技術分野】
本発明は、例えば光ディスクや光磁気ディスク等の光学ディスクの記録や再生に用いられる光ピックアップの対物レンズのシャッタ部材を備えた光ピックアップ装置及びこの光ピックアップ装置を備える記録及び／又は再生装置に関する。
【０００２】
【従来の技術】
従来、光学ディスクの記録及び／又は再生装置に設けられている光ピックアップ装置には、対物レンズに塵埃等の異物が付着することを防止する機構を備えたものがある。
【０００３】
例えば、特許文献１には、光学ピックアップの対物レンズを覆って隠す閉位置と、対物レンズを露出させる開位置との間を、光学ピックアップの送り機構に連動して動作するシャッタ開閉手段によって移動自在とされたシャッタ部材を設け、光学ピックアップが光ディスクの記録トラックの最内周部に対応した位置に達した後も送り機構を動作させ、シャッタ開閉手段のみを駆動してシャッタ部材を開位置と閉位置との間で移動させる光ディスク装置が記載されている。具体的に、光学ピックアップの送り機構は、光学ピックアップの一部に形成された第１のラックギヤと、モータによって駆動され第１のラックギヤと噛合したピニオンギアとからなり、シャッタ開閉手段が、光学ピックアップ上に移動可能に取着されると共にピニオンギアと噛合する第２のラックギヤを有するスライダであることを特徴とする。
【０００４】
【特許文献１】
特開平１０−０４９８９５号公報
【０００５】
【発明が解決しようとする課題】
しかしながら、特許文献１に示した光ディスク装置は、モータによって回転されるピニオンギアに対して光学ピックアップの一部に形成された第１のラックギヤと光学ピックアップ上に移動可能に取着される第２のラックギヤを有するものであり、シャッタ部材を、対物レンズを隠す閉位置に移動させるとき、シャッタ開閉手段のスライダのみを第２のラックギヤに噛合したピニオンギヤを駆動してスライドさせシャッタ部材を移動させるものである。このように、光ディスク装置は、対物レンズを開閉するにあたって、ピニオンギヤ、第１のラックギヤ、第２のラックギヤを用いるものであるから、更なる構成の簡素化を図ることが難しく、噛み合わせの調整等が必要となり、更なる組立作業の効率化を図ることができなかった。
【０００６】
本発明は、以上のような問題点に鑑みてなされたものであり、その目的は、対物レンズのシャッタ開閉機構の構成の簡素化を図ると共に、容易に組立を行うことができる光ピックアップ装置及びこの光ピックアップ装置を備える記録及び／又は再生装置を提供することにある。
【０００７】
【課題を解決するための手段】
本発明に係る光ピックアップ装置は、上述した課題を解決すべく、光源より出射された光ビームを対物レンズで集光して光学ディスクに照射すると共に、この光学ディスクで反射した戻りの光ビームを検出する光ピックアップと、光学ディスクの径方向に配設されるガイド軸が光ピックアップに離間して形成されたガイド片のガイド孔に挿通され、光ピックアップを移動可能に支持するガイド機構と、ガイド機構にガイドされた光ピックアップを、光学ディスクの径方向に移動する移動機構と、移動機構に連動して対物レンズを開閉するシャッタ部材とを備える。移動機構は、光学ディスクの径方向に配設され、駆動源によって回転される送りねじと、ガイド片間においてガイド軸に挿通され、光ピックアップに対して移動可能な移動ブロックと、移動ブロックに設けられ送りねじと接続する接続部材と、一方のガイド片と移動ブロックとの間に配設されて移動ブロックを一方向に付勢する付勢部材とを有する。シャッタ部材は、基端側が移動ブロックに軸支される共に、中程で光ピックアップに軸支され、移動ブロックの移動に伴って先端側で対物レンズを開閉する。
【０００８】
また、本発明に係る記録及び／又は再生装置は、上述した課題を解決すべく、光学ディスクが装着されこの光学ディスクを回転するディスク駆動部と、光源より出射された光ビームを対物レンズで集光してディスク駆動部に装着された光学ディスクに照射すると共に、この光学ディスクで反射した戻りの光ビームを検出する光ピックアップと、ディスク駆動部に装着された光学ディスクの径方向に配設されるガイド軸が光ピックアップに離間して形成されたガイド片のガイド孔に挿通され、光ピックアップを移動可能に支持するガイド機構と、ガイド機構にガイドされた光ピックアップを、光学ディスクの径方向に移動する移動機構と、移動機構に連動して対物レンズを開閉するシャッタ部材とを備える。移動機構は、光学ディスクの径方向に配設され、駆動源によって回転される送りねじと、ガイド片間においてガイド軸が挿通され、光ピックアップに対して移動可能な移動ブロックと、移動ブロックに設けられ送りねじと接続する接続部材と、一方のガイド片と移動ブロックとの間に配設されて移動ブロックを一方向に付勢する付勢部材とを有する。シャッタ部材は、基端側が移動ブロックに軸支される共に、中程で光ピックアップに軸支され、移動ブロックの移動に伴って先端側で対物レンズを開閉する。
【０００９】
移動機構は、光ピックアップを最内周又は最外周まで、すなわち信号記録領域から非信号記録領域に移動させた後、更に同方向に光ピックアップを移動させる方向に送りねじを回転させて付勢部材の付勢力に抗して移動ブロックを移動させることによって、シャッタ部材で対物レンズを閉塞する。また、シャッタ部材が対物レンズを閉塞しているとき、移動機構は、非信号記録領域から信号記録領域の方向に光ピックアップを移動させるように送りねじを回転させることによって、シャッタ部材を、付勢部材の付勢力に従って対物レンズを開放する方向に回動させる。
【００１０】
【発明の実施の形態】
本発明を適用した光ディスクの記録再生装置は、例えば、図１に示すようにビデオカメラ１に用いられる。このビデオカメラ１は、片手で把持できる程度の小型の本体部２を有し、この本体部２の一部には、フォーカスレンズ、ズームレンズ等の複数のレンズが組み込まれた鏡筒やＣＣＤ（Ｃｈａｒｇｅ−Ｃｏｕｐｌｅｄ  Ｄｅｖｉｃｅｓ）等の撮像素子で構成された撮像部３、撮像部３が撮像している映像を見るためのファインダ４等が設けられている。更に、本体部２の一方の主面には、本発明を適用した記録再生装置が用いられる記録再生部５が設けられている。この記録再生部５は、撮像部３で撮像した所望の映像を記録媒体に保存するためのものであり、記録媒体に書換可能又は追記可能な光ディスク７を用いる。この記録再生部５は、通常、本体部２に設けられた蓋体６で閉塞されており、光ディスク７の交換時に限って開放される。
【００１１】
この記録再生部５には、詳細は後述するが、光ディスク７が装着され、装着された光ディスク７を回転するディスク駆動部やディスク駆動部に装着された光ディスクに対して光ビームを照射し反射した戻りの光ビームを検出する光ピックアップ等が配設されている。記録再生部５を閉塞する蓋体６は、光ディスク７の交換時には、光ディスク７の交換作業を容易に行うことができるようにするために、ユーザがディスク回転駆動機構や光ピックアップを外部より容易に見ることができるまで大きく記録再生部５を開放する。一方、ビデオカメラ１の記録媒体となる光ディスク７は、動画データ、音声データ等のデータを記録するものであり、データが高密度記録される。光ピックアップは、対物レンズに塵埃等の異物が付着すると、光ディスク７の記録再生位置に光ビームを結像することができなくなり、正確な記録再生を行うことができなくなる。蓋体６は、光ディスク７の交換時に、記録再生部５を大きく開放することから、光ディスク７の交換時に、記録再生部５内に、光ピックアップの対物レンズに指紋や塵埃等の異物が付着する虞もある。また、ビデオカメラ１は、携帯型であるから、小型軽量化を図る必要がある。そこで、ビデオカメラ１は、記録再生部５に本発明を適用することで、全体の小型軽量化を図りつつ、記録再生部５を構成する光ピックアップの対物レンズに、光ディスク７の交換時等に進入する塵埃や指紋等の異物が付着しないようにするシャッタ部材を設けるようにしている。
【００１２】
記録再生部５を構成する記録再生装置１０は、具体的に、記録媒体として、記録層に相変化材料を用いる書換型の光ディスク７を用いる。この光ディスク７は、内周側のリードイン領域にアドレス情報等のＴＯＣ（ｔａｂｌｅ  ｏｆ  ｃｏｎｔｅｎｔｓ）データ等が記録され、リードイン領域の外周側のプログラム領域に、画像データ、映像データ、音声データ、コンピュータプログラム、コンピュータで処理される処理データ等の情報信号が記録され、このプログラム領域の外周側に、リードアウト領域が設けられている。記録再生装置１０は、光ピックアップを、この光ディスク７の内外周に亘って移動することによって、各記録領域に記録された情報信号の読み出しを行う。
【００１３】
このような記録再生装置１０は、図２に示すように、光ディスク７が装着され、装着された光ディスク７を回転するディスク回転駆動機構１１と、光ディスク７に光ビームを照射し光ディスク７で反射した光ビームを検出する光ピックアップ機構１２とを備える。
【００１４】
図２に示すように、ディスク回転駆動機構１１は、光ディスク７を回転する際の駆動源となる駆動モータ１３を有する。この駆動モータ３１は、ベース１４に固定されており、駆動軸に、光ディスク７が装着されるディスクテーブル１５が設けられている。このディスクテーブル１５には、中央部に、光ディスク７のセンタ孔７ａに係合するセンタリング部１５ａが突出形成され、更に、センタリング部１５ａには、センタリング部１５ａに光ディスク７を係止するための係止部１５ｂが設けられている。この係止部１５ｂは、コイルバネ等によって外方に付勢され、ディスクテーブル１５に装着された光ディスク７をセンタ孔７ａの周囲で係止する。ディスクテーブル１５は、光ディスク７のセンタ孔７ａがセンタリング部１５ａに係合され、更に、センタ孔７ａの周囲が係止部１５ｂに係止されることによって、光ディスク７がセンタリングが図られた状態で装着される。ディスクテーブル１５に装着された光ディスク７は、ディスクテーブル１５と一体的に、線速度一定、角速度一定又はこれらの組み合わせで回転される。
【００１５】
光ピックアップ機構１２は、光ディスク７に光ビームを照射し光ディスク７で反射した光ビームを検出する光ピックアップ１６と、光ピックアップ１６をディスクテーブル１５に装着された光ディスク７の径方向に移動可能に支持するガイド機構１７と、この光ピックアップ１６をディスクテーブル１５に装着された光ディスク７の径方向に移動する移動機構１８とを備える。
【００１６】
この光ピックアップ１６は、光ビームを出射する半導体レーザ、半導体レーザより出射された光ビームを集束する対物レンズ１９、光ディスク７の反射膜で反射された戻りの光ビームを検出する光検出器等を備える。半導体レーザより出射された光ビームは、対物レンズ１９により集束され、光ディスク７の信号記録面に照射される。ここで、半導体レーザは、光ディスク７に記録されたデータの再生を行うとき、標準的出力で光ビームを出射し、データを記録するとき、再生時より高い高出力レベルで光ビームを出射する。光ディスク７の反射膜で反射された戻りの光ビームは、光検出器により電気信号に変換される。また、対物レンズ１９は、２軸アクチュエータ等の対物レンズ駆動機構に保持され、対物レンズの光軸と平行なフォーカシング方向及び対物レンズの光軸に直交するトラッキング方向に駆動変位される。
【００１７】
以上のような光ピックアップ１６は、ガイド機構１７によって、ディスクテーブル１５に装着された光ディスク７の内外周に亘って移動可能に取り付けられ、更に、対物レンズ１９を光ディスク７と対向させるため、ベース１４に設けられた開口部２１より外部に臨まされている。
【００１８】
光ピックアップ１６をディスクテーブル１５に装着された光ディスク７の径方向に移動可能に支持するガイド機構１７は、ベース１４に、光ディスク７の径方向に沿って配設されたガイド軸２２，２３を有する。ガイド軸２２，２３は、ベース１４に形成された開口部２１の近傍の固定部２４，２５によって固定されている。一方、光ピックアップ１６の筐体には、一方の端部にガイド軸２２が挿通されるガイド孔２６ａが形成されたガイド片２６が形成され、他方の端部にガイド軸２３が挿通されるガイド孔２７ａ，２８ａが形成された一対のガイド片２７，２８が形成されている。一対のガイド片２７，２８は、離間して形成され、間に、後述する移動ブロックが配設される。光ピックアップ１６は、ベース１４の固定部２４，２４によって固定されたガイド軸２２がガイド片２６のガイド孔２６ａに挿通されると共に、固定部２５，２５によって固定されたガイド軸２３が一対のガイド片２７，２８のガイド孔２７ａ，２８ａに挿通されることによって、ベース１４の開口部２１より対物レンズ１９を外部に臨ませた状態で、光ディスク７の径方向である図２中矢印Ａ１方向及びＡ２方向に移動可能に取り付けられる。
【００１９】
ガイド機構１７によってベース１４に取り付けられた光ピックアップ１６を光ディスク７の径方向に移動する移動機構１８は、図４に示すように、光ピックアップ１６をガイド軸２２，２３に沿って移動させる際の駆動源となる駆動モータ３１と、この駆動モータ３１により回転される送りねじ３２と、対物レンズ１９を閉塞するシャッタ部材の開閉を制御する移動ブロック３３と、送りねじ３２と移動ブロック３３とを接続する接続部材３４と、移動ブロック３３を一方向に付勢する付勢部材３５とを有する。
【００２０】
駆動モータ３１は、例えばステッピングモータであり、ベース１４の裏面に取り付けられている。この駆動モータ３１には、駆動モータ３１によって回転される送りねじ３２が一体的に取り付けられている。この送りねじ３２は、ガイド軸２２，２３と平行に配設され、先端が、図示しないが、ベース１４に軸支されている。
【００２１】
移動ブロック３３は、光ピックアップ１６の一対のガイド片２７，２８間にガイド軸２３に挿通されて配設される。具体的に、この移動ブロック３３は、図４に示すように、略矩形に形成され、長手方向に、ガイド軸２３が挿通される挿通孔３６が形成されている。また、移動ブロック３３のガイド片２８と対向する面には、挿通孔３６に連続して付勢部材３５を保持する保持凹部３７が形成されている。保持凹部３７に保持される付勢部材３５は、例えばコイルバネであり、ガイド軸２３に巻装され、移動ブロック３３をガイド片２７の方向、すなわち図２及び図３中矢印Ａ１方向に付勢する。図５に示すように、移動ブロック３３の長手方向の一側面には、ガイド突起３８が形成されている。このガイド突起３８は、光ピックアップ１６の一対のガイド片２７，２８間に、移動ブロック３３の移動方向に沿って形成されたガイド溝３９に係合され、ガイド軸２３の軸線を中心に回転しないようになっている。
【００２２】
図３に示すように、移動ブロック３３には、送りねじ３２と移動ブロック３３とを接続する接続部材３４が取り付けられる。接続部材３４は、例えば板バネを折曲して形成されてなり、移動ブロック３３に取り付けるための取付部４１と送りねじ３２に接続される接続部４２とが形成されている。取付部４１には、移動ブロック３３に位置決めして取り付けるための位置決め孔４１ａ，４１ａが形成されていると共に、移動ブロック３３に固定するための取付孔４１ｂが形成されている。位置決め孔４１ａ，４１ａは、移動ブロック３３に形成された位置決め突起４１ｃ，４１ｃが係合される。また、取付孔４１ｂは、移動ブロック３３のねじ孔等で形成されたねじ孔４１ｄに位置合わせされ、ねじ等の固定部材４１ｅが挿通され、移動ブロック３３に固定される。接続部４２は、送りねじ３２に係合される係合部４２ａが形成され、この係合部４２ａは、送りねじ３２に付勢されることによって送りねじ３２の周面に形成されたねじ溝に係合される。
【００２３】
ところで、図３に示すように、光ピックアップ１６のガイド片２７，２８間にガイド軸２３に挿通されて取り付けられる移動ブロック３３と光ピックアップ１６には、対物レンズ１９を開閉するシャッタ部材４３が取り付けられる。シャッタ部４６は、例えば長尺状の板材であり、基端側に第１の支持孔４４が形成され、中程に第２の支持孔４５が形成され、先端側を、対物レンズ１９を開閉するシャッタ部４６としている。第１の支持孔４４は、長孔によって形成されており、第１の支軸となる第１の固定部材４７が挿通され、第１の支持孔４４に挿通された第１の固定部材４７は、更に、移動ブロック３３の第１の固定孔４８に固定されることによって、シャッタ部材４３の基端側を回動支持する。シャッタ部材４３の中程に形成された第２の支持孔４５は、第２の支軸となる第２の固定部材４９が挿通され、第２の支持孔４５に挿通された第２の固定部材４９は、更に、光ピックアップ１６の筐体に形成された第２の固定孔５１に固定されることによって、シャッタ部材４３の中程を回動支持する。第１の固定部材４７は、シャッタ部材４３を回動操作するために移動ブロック３３がガイド片２７，２８間をガイド軸２３に沿って移動する際の操作点となり、第２の固定部材４９は、回動支点となる。
【００２４】
以上のように構成された記録再生装置１０の動作について、図６乃至図８を参照して説明する。上述のように、光ディスク７は、リードイン領域にアドレス情報等のＴＯＣデータが記録されていることから、記録再生装置１０は、記録再生を開始するとき、最初に、光ディスク７のリードイン領域にアクセスし、ＴＯＣデータを読み出す必要がある。そこで、光ピックアップ１６は、記録再生を行わない待機時のとき、ユーザによって記録又は再生開始操作がされたとき、直ちにＴＯＣデータの読み出しを開始することができるように、光ディスク７の内周側であるディスク回転駆動機構１１側である図２及び図６中矢印Ａ２方向に移動している。
【００２５】
すなわち、図６に示すように、移動機構１８は、光ピックアップ１６をディスク回転駆動機構１１に近接する位置まで移動させ、更に、移動ブロック３３を、付勢部材３５の付勢力に抗してガイド片２８に突き当たるまで図６中矢印Ａ２方向に移動させている。これによって、シャッタ部材４３は、第２の支軸となる第２の固定部材４９を回動支点として、図６中矢印Ｂ１方向に回動し、先端側のシャッタ部４６が対物レンズ１９を閉塞し、対物レンズ１９にユーザの指紋や塵埃等の異物が付着しないようにしている。すなわち、図６に示す待機時は、図１に示すように、記録再生部５に記録媒体である光ディスク７を装着したり、光ディスク７の交換を行うときであり、蓋体６が記録再生部５を開放し、記録再生部５内にも塵埃等の異物が侵入しやすく、また、ユーザの指が記録再生部５の内部に侵入し、対物レンズ１９に指等がふれやすいときでもある。この記録再生装置１０では、記録再生部５が開放されるとき、対物レンズ１９をシャッタ部材４３のシャッタ部４６で閉塞するようにして、対物レンズ１９にユーザの指紋や異物が付着しないようにしている。
【００２６】
そして、ユーザが記録又は再生の開始操作をすると、移動機構１８は、駆動モータ３１を、光ピックアップ１６を光ディスク７の外周側に移動させる方向に正転駆動し、送りねじ３２を回転させる。すると、図７に示すように、移動ブロック３３は、光ディスク７の外周側である図７中矢印Ａ１方向に移動を開始し、図８に示すように、光ディスク７の外周側のガイド片２７に突き当たるまで移動する。移動ブロック３３が移動するとき、シャッタ部材４３は、第２の支軸となる第２の固定部材４９を回動支点として、シャッタ部材４３を開放する図６乃至図８中５中矢印Ｂ２方向に回動し、先端側のシャッタ部４６が対物レンズ１９上から待避する。なお、このとき、光ピックアップ１６は、ディスク回転駆動機構１１に近接した最内周に位置しており、移動は開始していない。これによって、光ピックアップ１６は、光ディスク７のリードイン領域に記録されているＴＯＣデータ等を読み出し可能な状態になる。
【００２７】
そして、ディスク回転駆動機構１１は、駆動モータ１３を駆動し、ディスクテーブル１５に装着されている光ディスク７を、線速度一定、角速度一定等となるように回転する。これと共に、光ピックアップ１６は、半導体レーザより再生レベルの光ビームを出射し、光ディスク７で反射された光ビームを検出して、対物レンズ１９のトラッキング制御フォーカシング制御、スキュー制御等を行いながら、ＴＯＣデータ等の読み出しを開始し、ユーザの記録又は再生指令に応じて記録又は再生開始のアドレスを特定する。
【００２８】
記録又は再生開始のアドレスが特定されると、移動機構１８は、光ピックアップ１６を、記録又は再生開始アドレスにアクセス可能な位置まで移動させ、記録又は再生を開始する。具体的に、移動機構１８は、駆動モータ３１を、光ピックアップ１６を光ディスク７の外周側に移動させる方向に駆動し、送りねじ３２を回転させ、光ピックアップ１６を、図８中矢印Ａ１方向に移動させる。このとき、移動ブロック３３は、付勢部材３５によって、図８中矢印Ａ１方向に付勢され、光ディスク７の外周側のガイド片２７に突き当てられている。移動機構１８は、直接的には、送りねじ３２に接続部材３４を介して接続された移動ブロック３３を図８中矢印Ａ１方向に移動させるが、移動ブロック３３が付勢部材３５の付勢力によってガイド片２７に突き当てられていることで、光ピックアップ１６正確に図８中矢印Ａ１方向に移動させることができる。なお、シャッタ部材４３は、移動ブロック３３がガイド片２７に突き当てられていることで、対物レンズ１９を開放したままの状態である。
【００２９】
また、トラックジャンプ等を行うことによって光ピックアップ１６を光ディスク７の外周側から内周側、すなわち図８中矢印Ａ２方向に移動させるときには、ディスク回転駆動機構１１の駆動モータ１３は、逆転駆動される。光ピックアップ１６を光ディスク７に移動させる方向は、移動ブロック３３を光ピックアップ１６の外周側のガイド片２７に付勢する付勢部材３５の付勢力と反対方向でもある。付勢部材３５は、光ピックアップ１６ガイド片２６〜２８のガイド孔２６ａ〜２８ａとガイド軸２２，２３との摩擦力より大きくしている。このため、移動機構１８は、移動ブロック３３を付勢部材３５の付勢力によってガイド片２７に突き当てたままの状態で、光ピックアップ１６を光ディスク７の外周側から内周側、すなわち図８中矢印Ａ２方向に移動させることができる。
【００３０】
光ピックアップ１６は、光ディスク７に記録を行うとき、高出力の記録レベルで半導体レーザを駆動し、光ディスク７に対してデータを記録し、再生のとき、低出力の再生レベルで半導体レーザを駆動し、光ディスク７に記録されているデータの読み出しを行う。
【００３１】
記録又は再生の停止指令が入力されると、移動機構１８は、光ピックアップ１６を光ディスク７の外周側から内周側、すなわち図８中矢印Ａ２方向に移動させ、光ディスク７の最内周まで移動させる。そして、光ディスク７の交換等を行うため、記録再生部５を開放するときには、移動機構１８は、更に、逆転駆動される。このとき、光ピックアップ１６の内周側のガイド片２８は、ベース１４の開口部２１の開口端に突き当たっており、更に、図８中矢印Ａ２方向に移動することはできない。このため、移動ブロック３３は、付勢部材３５の付勢力に抗して図６に示すように、ガイド片２８に突き当たるまで移動する。これによって、シャッタ部材４３は、図６乃至図８中５中矢印Ｂ１方向に回動し、先端側のシャッタ部４６が対物レンズ１９に移動し、シャッタ部４６が対物レンズ１９を保護した状態となる。
【００３２】
以上のように構成された記録再生装置１０では、対物レンズ１９の保護にあたって、シャッタ部材４３を用い、光ピックアップ１６の移動機構１８を用いてシャッタ部材４３の開閉制御をできるようにしたので、対物レンズのシャッタの開閉機構の構成の簡素化を図ると共に、容易に組立を行うことができる。
【００３３】
なお、以上では、光ピックアップ１６を光ディスク７の内周側で待機させ、この状態で光ディスク７の交換を行う例を説明したが、本発明は、これとは逆に、光ディスクの外周側で待機させ、この状態で光ディスク７の交換を行うようにしてもよい。また、以上の例では、光ディスク７に対してデータを記録し又は光ディスク７に記録されたデータの再生をする記録再生装置を説明したが、記録再生装置１０としては、磁気ヘッドを用いた光磁気ディスクの記録再生装置であってもよい。
【００３４】
【発明の効果】
本発明によれば、光ピックアップのガイド片間に配設される移動ブロックに対物レンズを開閉するシャッタ部材を設け、このシャッタ部材の開閉を、光ピックアップを移動させるための移動機構を用いて行うようにしたので、対物レンズのシャッタの開閉機構の構成の簡素化を図ると共に、容易に組立を行うことができる。
【図面の簡単な説明】
【図１】本発明を適用した記録再生装置が用いられるビデオカメラの斜視図である。
【図２】本発明を適用した記録再生装置の平面図である。
【図３】光ピックアップの移動機構の分解斜視図である。
【図４】移動機構を構成する移動ブロックの斜視図である。
【図５】移動機構を構成する移動ブロックの正面図である。
【図６】シャッタ部材が対物レンズを閉塞している状態を示す光ピックアップ機構の平面図である。
【図７】シャッタ部材が対物レンズの開放を開始した状態を示す光ピックアップ機構の平面図である。
【図８】シャッタ部材が対物レンズを開放した状態を示す平面図である。
【符号の説明】
１０  記録再生装置、１１    ディスク回転駆動機構、１２  光ピックアップ機構、１６  光ピックアップ、１７  ガイド機構、１８  移動機構、１９  対物レンズ、２１  開口部、２２，２３  ガイド軸、２６〜２８  ガイド片  ２６ａ〜２８ａ  ガイド孔、３１  駆動モータ、３２  送りねじ、３３  移動ブロック、３４  接続部材、３５  付勢部材、４３  シャッタ部材
【図１】
2005018858.tif 000003
【図２】
2005018858.tif 000004
【図３】
2005018858.tif 000005
【図４】
2005018858.tif 000006
【図５】
2005018858.tif 000007
【図６】
2005018858.tif 000008
【図７】
2005018858.tif 000009
【図８】
2005018858.tif 000010